(57)【要約】【課題】作業者に対してバッテリーの電圧低下の警報を確実に知らせることができる充電式ＬＥＤ投光器を提供する。【解決手段】ＬＥＤ投光器１は、複数のＬＥＤ素子３２を有する投光ユニット２０と、投光ユニット２０を発光させる電力を供給するバッテリー６１と、投光ユニット２０の発光を制御する投光ユニット駆動回路５２と、バッテリー６１の電圧を監視するバッテリー電圧監視回路５５と、を備え、バッテリー電圧監視回路５５は、バッテリー６１の電圧が警報用閾値を下回ると、投光ユニット駆動回路５２に向けて警報信号を送信し、投光ユニット駆動回路５２は、警報信号を受信すると複数のＬＥＤ素子３２のうち任意のＬＥＤ素子３２のみ発光させる。【選択図】図５
2019040714.tif 000002
【特許請求の範囲】
【請求項１】
複数のＬＥＤ素子を有する投光ユニットと、
前記投光ユニットを発光させる電力を供給するバッテリーと、
前記投光ユニットと前記バッテリーの間に配置されて、前記投光ユニットの発光を制御する投光ユニット駆動回路と、
前記バッテリーの電圧を監視するバッテリー電圧監視回路と、
前記バッテリーの電圧の低下を警報する警報部と、
を備え、
前記バッテリー電圧監視回路は、前記バッテリーの電圧が警報用閾値を下回ると、前記警報部に向けて警報信号を送信することを特徴とする充電式ＬＥＤ投光器。
【請求項２】
前記警報部は、前記投光ユニットおよび前記投光ユニット駆動回路であり、
前記投光ユニット駆動回路は、前記警報信号を受信すると前記複数のＬＥＤ素子のうち任意のＬＥＤ素子のみ発光させることを特徴とする請求項１に記載の充電式ＬＥＤ投光器。
【請求項３】
前記投光ユニットは、前記ＬＥＤ素子を直線状に配列した複数のＬＥＤアレイと、
前記複数のＬＥＤアレイからの光が側面から入射して正面から出射する導光板と、
前記導光板の背面に密着して光を反射する反射板と、
を備え、
前記投光ユニット駆動回路は、前記複数のＬＥＤアレイのうち任意のＬＥＤアレイのみを発光させることを特徴とする請求項１または２に記載の充電式ＬＥＤ投光器。
【請求項４】
前記投光ユニット駆動回路は、前記導光板の長辺に沿って配置されたＬＥＤアレイのみを発光させることを特徴とする請求項３に記載の充電式ＬＥＤ投光器。
【請求項５】
前記投光ユニット駆動回路は、前記導光板の短辺に沿って配置されたＬＥＤアレイのみを発光させることを特徴とする請求項３に記載の充電式ＬＥＤ投光器。
【請求項６】
前記投光ユニット駆動回路は、前記投光ユニットを間欠発光させることを特徴とする請求項１から５のうちいずれか一項に記載の充電式ＬＥＤ投光器。
【請求項７】
前記バッテリーの電圧低下を報知する警告部を備え、
前記バッテリー電圧監視回路は、前記バッテリーの電圧が警報用閾値よりも高い警告用閾値を下回ると、前記警告部を作動させることを特徴とする請求項１から６のうちいずれか一項に記載の充電式ＬＥＤ投光器。
【請求項８】
充電式ＬＥＤ投光器におけるバッテリー電圧低下警報方法であって、
バッテリーから電力を供給して、投光ユニット駆動回路が複数のＬＥＤ素子を有する投光ユニットを発光させる発光工程と、
バッテリー電圧監視回路により前記バッテリーの電圧を監視する電圧監視工程と、
前記バッテリーの電圧が警報用閾値を下回ると、前記バッテリー電圧監視回路が前記バッテリーの電圧の低下を警報する警報部に向けて警報信号を出す警報判定工程と、
を有することを特徴とするバッテリー電圧低下警報方法。
【請求項９】
前記警報部は、前記投光ユニットおよび前記投光ユニット駆動回路であり、
前記投光ユニット駆動回路が前記警報信号を受信すると前記複数のＬＥＤ素子のうち任意のＬＥＤ素子のみ発光させる警報工程と、
を有することを特徴とする請求項８に記載のバッテリー電圧低下警報方法。
【発明の詳細な説明】
【技術分野】
【０００１】
本発明の実施形態は、充電式ＬＥＤ投光器と、充電式ＬＥＤ投光器におけるバッテリー電圧低下警報方法に関する。
【背景技術】
【０００２】
作業現場等で用いられる投光器は、作業者が容易に取り扱えるように、軽量化、コードレス化（バッテリー駆動化）が要求されている。また、乱雑に扱われるため、衝撃に強く、長寿命であることも要求されている。
このため、投光器の発光源として、省エネルギー、軽量、長寿命で衝撃に強いＬＥＤ（Light Emitting Diode）が採用されている。
【０００３】
ＬＥＤ投光器の発光源には、複数のＬＥＤ素子を配列したＬＥＤアレイが用いられる。このため、何重にも重なったマルチシャドウが現れる。また、ＬＥＤの光は、不快感のある眩しさ（グレア光）を生じさせてしまうため、光が直接目に入ると物が見えにくい。
そこで、面発光式ＬＥＤ投光器が開発されている。この面発光式ＬＥＤ照明は、導光板の側面にＬＥＤアレイを配置して、導光板の正面全体から投光する。このため、マルチシャドウが現れず、ストレスなく、長時間作業でも疲れにくい。また、グレア光が直接目に入らず、ムラのない自然な光により物が良く見える。
【先行技術文献】
【特許文献】
【０００４】
【特許文献１】特開２０１５−１３５７５１号公報
【発明の概要】
【発明が解決しようとする課題】
【０００５】
バッテリー式の投光器では、バッテリーの充電切れを事前に警告・警報する必要がある。例えば夜間や暗所での作業中にバッテリーが切れて投光器が消灯すると、作業者が危険に晒されてしまうからである。
そこで、投光器には、バッテリー電圧低下を警告するＬＥＤ警告灯等が設けているものがある。このようなＬＥＤ警告灯は、正面から発光している場合でも認識しやすいように、背面側に配置される場合が多い。このため、作業を中断して、投光器の裏面にあるＬＥＤ警告灯等を目視確認する必要が生じる。
しかし、ＬＥＤ警告灯の目視確認を定期的に行うことを作業者に強いることは困難であるため、バッテリーの充電切れによる投光器の消灯が頻発してしまうという問題がある。特に、バッテリーがリチウムイオン電池の場合には、バッテリー電圧が低下し始めると、電圧が急激に降下するので、投光器を消灯させてしまう可能性が著しく高くなる。
【０００６】
本発明は、このような状況に鑑みなされたものであって、作業者に対してバッテリーの電圧低下の警報を確実に知らせることができる充電式ＬＥＤ投光器、バッテリー電圧低下警報方法を提供することを目的とする。
【課題を解決するための手段】
【０００７】
第一実施形態の充電式ＬＥＤ投光器は、複数のＬＥＤ素子を有する投光ユニットと、前記投光ユニットを発光させる電力を供給するバッテリーと、前記投光ユニットと前記バッテリーの間に配置されて、前記投光ユニットの発光を制御する投光ユニット駆動回路と、前記バッテリーの電圧の低下を警報する警報部と、を備え、前記バッテリー電圧監視回路は、前記バッテリーの電圧が警報用閾値を下回ると、前記警報部に向けて警報信号を送信することを特徴とする。
【０００８】
第二実施形態の充電式ＬＥＤ投光器は、第一実施形態において、前記警報部は、前記投光ユニットおよび前記投光ユニット駆動回路であり、前記投光ユニット駆動回路は、前記警報信号を受信すると前記複数のＬＥＤ素子のうち任意のＬＥＤ素子のみ発光させることを特徴とする。
【０００９】
第三実施形態の充電式ＬＥＤ投光器は、第一または第二実施形態において、前記投光ユニットは、前記ＬＥＤ素子を直線状に配列した複数のＬＥＤアレイと、前記複数のＬＥＤアレイからの光が側面から入射して正面から出射する導光板と、前記導光板の背面に密着して光を反射する反射板と、を備え、前記投光ユニット駆動回路は、前記複数のＬＥＤアレイのうち任意のＬＥＤアレイのみを発光させることを特徴とする。
【００１０】
第四実施形態の充電式ＬＥＤ投光器は、第三実施形態において、前記投光ユニット駆動回路は、前記導光板の長辺に沿って配置されたＬＥＤアレイのみを発光させることを特徴とする。
【００１１】
第五実施形態の充電式ＬＥＤ投光器は、第三実施形態のいずれかにおいて、前記投光ユニット駆動回路は、前記導光板の短辺に沿って配置されたＬＥＤアレイのみを発光させることを特徴とする。
【００１２】
第六実施形態の充電式ＬＥＤ投光器は、第一から第五実施形態のいずれかにおいて、前記投光ユニット駆動回路は、前記投光ユニットを間欠発光させることを特徴とする。
【００１３】
第七実施形態の充電式ＬＥＤ投光器は、第一から第六実施形態のいずれかにおいて、前記バッテリーの電圧低下を報知する警告部を備え、前記バッテリー電圧監視回路は、前記バッテリーの電圧が警報用閾値よりも高い警告用閾値を下回ると、前記警告部を作動させることを特徴とする。
【００１４】
第一実施形態のバッテリー電圧低下警報方法は、充電式ＬＥＤ投光器におけるバッテリー電圧低下警報方法であって、バッテリーから電力を供給して、投光ユニット駆動回路が複数のＬＥＤ素子を有する投光ユニットを発光させる発光工程と、バッテリー電圧監視回路により前記バッテリーの電圧を監視する電圧監視工程と、前記バッテリーの電圧が警報用閾値を下回ると、前記バッテリー電圧監視回路が前記バッテリーの電圧の低下を警報する警報部に向けて警報信号を出す警報判定工程と、を有することを特徴とする。
【００１５】
第二実施形態のバッテリー電圧低下警報方法は、第一実施形態において、前記警報部は、前記投光ユニットおよび前記投光ユニット駆動回路であり、前記投光ユニット駆動回路が前記警報信号を受信すると前記複数のＬＥＤ素子のうち任意のＬＥＤ素子のみ発光させる警報工程と、を有することを特徴とする。
【図面の簡単な説明】
【００１６】
【図１】実施形態に係る充電式ＬＥＤ投光器１を示す斜視図である。
【図２】投光部４を示す分解斜視図である。
【図３】投光ユニット２０を示す分解斜視図である。
【図４】投光ユニット２０を示す図であって、（ａ）背面図、（ｂ）IVb-IVb断面図、（ｃ）IVc部拡大図である。
【図５】充電式ＬＥＤ投光器１の電気回路ブロック図である。
【発明を実施するための形態】
【００１７】
〔充電式ＬＥＤ投光器１〕
以下、実施形態の充電式ＬＥＤ投光器１を図面を参照して説明する。各図において、同一構成については同一の符号を付す。
図１は、実施形態に係る充電式ＬＥＤ投光器１を示す斜視図である。
図２は、投光部４を示す分解斜視図である。
図３は、投光ユニット２０を示す分解斜視図である。
図４は、投光ユニット２０を示す図であって、（ａ）背面図、（ｂ）IVb-IVb断面図、（ｃ）IVc部拡大図である。
【００１８】
充電式ＬＥＤ投光器１は、充電式かつ面発光式の投光器であって、光を出射する本体部３と、本体部３を支持するスタンド７と、を備える。
本体部３は、複数のＬＥＤを内蔵する投光部４と、投光部４の後方に配置されてバッテリー６１（図５参照）を内蔵する電源部６と、を備える。バッテリー６１は、リチウムイオン電池である。
【００１９】
充電式ＬＥＤ投光器１において、投光部４と電源部６が重なる方向を厚み方向または前後方向という。投光部４側を向く面を前面、電源部６側を向く面を背面という。
投光部４の長手方向を横または左右方向という。
投光部４の短手方向を縦または上下方向という。
【００２０】
投光部４の側面にはスイッチ５が配置される。このスイッチ５により投光部４の点灯消灯を操作する。
投光部４の底面にはコネクタ（不図示）が配置される。このコネクタにＡＣアダプターケーブル６２（図５参照）を接続することにより、バッテリー６１を充電できる。
電源部６の内部には、バッテリー６１が配置される。投光部４の内部には、バッテリー６１の充電を制御する充電回路５１（図５参照）が配置される。投光部４の背面には、バッテリー６１の電圧を警告するＬＥＤ警告灯６３（図５参照）が配置される。
【００２１】
スタンド７は、複数本のパイプ材を複数箇所で折り曲げた部材等からなり、本体部３の外周側を取り囲むように配置される。スタンド７は、本体部３の両面に接続し、本体部３を上下方向に揺動可能に支持する。
また、スタンド７は、地面に対して上下方向に揺動可能に立設する。
このため、作業者は、スタンド７を上下方向に揺動させたり、本体部３を上下方向に揺動させたりすることにより、本体部３が向く方向（仰俯角）を任意に変更できる。したがって、作業者は、充電式ＬＥＤ投光器１から出射する光の方向を、容易に調整することができる。
【００２２】
図２に示すように、投光部４は、ハウジング１１、制御基板１２、投光ユニット２０、防水スポンジ１３、保護ガラス１４、保護格子１５、フロントフレーム１６等を備え、これらが背面側から前面側に向かって配置される。
ハウジング１１は、制御基板１２を収容する金属製の箱体であり、前面側に開口する。
制御基板１２は、ＬＥＤアレイ駆動回路やバッテリー充電回路等を搭載して、投光ユニット２０やバッテリーを駆動制御する。
投光ユニット２０は、複数のＬＥＤからの光を正面から出射する矩形の光学装置であり、ハウジング１１の開口（内壁）に配置される。
【００２３】
防水スポンジ１３は、４つの帯状部材であり、ハウジング１１の開口縁に配置されてハウジング１１の内部への雨水等の浸入を阻止する。
保護ガラス１４は、投光ユニット２０の前面に密着して、投光ユニット２０の破損を防止する矩形の透明部材である。
保護格子１５は、保護ガラス１４の前面側に配置されて、投光ユニット２０の破損を防止する縦格子状の部材である。
フロントフレーム１６は、ハウジング１１の開口縁に密着する枠部材であり、防水スポンジ１３、保護格子１５、保護ガラス１４をハウジング１１に対して締着する。
【００２４】
図３に示すように、投光ユニット（警報部）２０は、黒色樹脂板２２、白色樹脂板２３、導光板２４、拡散板２５、保護板２６等を備え、これらが背面側から前面側に向かって配置される。
黒色樹脂板２２、白色樹脂板２３は、一体となって反射板２１となる。つまり、黒色樹脂板２２と白色樹脂板２３は、導光板２４の背面に密着配置されて、導光板２４からの光を反射する。
また、導光板２４の前面に拡散板２５が密着し、さらに拡散板２５の前面に保護板２６が密着する。
【００２５】
反射板２１（黒色樹脂板２２、白色樹脂板２３）は、例えば塩化ビニルからなり、縦１５２ｍｍ、横１９７ｍｍ、厚み２ｍｍに形成される。黒色樹脂板２２と白色樹脂板２３は、それぞれ厚み１ｍｍである。
導光板２４は、例えばアクリル樹脂からなり、縦１５０ｍｍ、横１９５ｍｍ、厚み３ｍｍに形成される。導光板２４は、背面に多数のディンプルが所定のパターンで設けられる。
拡散板２５は、例えばポリカーボネート樹脂からなり、縦１５０ｍｍ、横１９５ｍｍ、厚み０．１ｍｍに形成される。拡散板２５は、表面に微細なプリズム（凹凸）が形成される。このため、拡散板２５は半透明である。
保護板２６は、例えばアクリル樹脂からなり、縦１５０ｍｍ、横１９５ｍｍ、厚み２ｍｍに形成される。
【００２６】
反射板２１は、導光板２４、拡散板２５、保護板２６に比べて、縦と横にそれぞれ２ｍｍだけ大きい。このため、反射板２１から保護板２６を中心（重心）を合わせて重ねると、導光板２４、拡散板２５、保護板２６の外周が一致し、これら導光板２４等の外周側に反射板２１が１ｍｍずつはみ出る。
反射板２１、導光板２４、拡散板２５、保護板２６は、それぞれ四隅が斜めに形成される。これにより、反射板２１から保護板２６を重ねると、これら板材の四隅に傾斜部２８が出現する。
【００２７】
さらに、投光ユニット２０は、ＬＥＤアレイ３０と溝形支持フレーム３５をそれぞれ４つずつ備え、これらが導光板２４等の上下左右方向に配置される。
ＬＥＤアレイ３０は、細長い基板３１の表面に複数のＬＥＤ素子３２を直線状に配列したものであり、長さ約１９５ｍｍまたは１５０ｍｍ、幅約６ｍｍである。ＬＥＤアレイ３０の各ＬＥＤ素子３２は、充電式ＬＥＤ投光器１の発光源となる。
溝形支持フレーム３５は、断面がコ字形のアルミ部材であり、長さ約１９７ｍｍまたは１５２ｍｍ、内寸約７ｍｍである。
【００２８】
ＬＥＤアレイ３０と溝形支持フレーム３５は、導光板２４等の四辺に沿って配置される。ＬＥＤアレイ３０は、溝形支持フレーム３５の底部３６に両面テープ４１を用いて固定される。
溝形支持フレーム３５の内側には、導光板２４等が配置される。つまり、溝形支持フレーム３５は、一対の壁部３７により導光板２４等を挟持する。ＬＥＤアレイ３０の各ＬＥＤ素子３２は、導光板２４に対向する。
４つの溝形支持フレーム３５は、枠形に組み立てられて、その四隅をアルミ粘着テープ４２を用いて固定（連結）される。
つまり、導光板２４等の四辺を４つの溝形支持フレーム３５で挟持し、この４つの溝形支持フレーム３５を枠形に連結することにより、投光ユニット２０が組み上がる。
【００２９】
図５は、充電式ＬＥＤ投光器１の電気回路ブロック図である。
図５に示すように、充電式ＬＥＤ投光器１は、充電回路５１、投光ユニット駆動回路５２、バッテリー電圧監視回路５５を備える。投光ユニット駆動回路５２とバッテリー電圧監視回路５５および充電回路５１は、制御基板１２に配置される。
【００３０】
充電回路５１は、ＡＣアダプタケーブル６２とバッテリー６１に接続されて、バッテリー６１の充電を制御する。つまり、充電回路５１は、ＡＣアダプタケーブル６２からバッテリー６１に供給される充電電圧と、バッテリー６１の放電電圧を制御する。具体的には、充電回路５１は、バッテリー６１の電圧が１６.４Ｖになると、過充電防止のため、バッテリー６１の充電を停止する。
なお、バッテリー保護回路（不図示）は、バッテリー６１の電圧が１１Ｖになると、過放電防止のため、バッテリー６１からの放電を停止する。
【００３１】
投光ユニット駆動回路（警報部）５２は、バッテリー６１と投光ユニット２０に接続されて、ＬＥＤアレイ３０（ＬＥＤ素子３２）の点灯消灯を制御する。投光ユニット駆動回路５２は、バッテリー６１からの駆動電流をＬＥＤ素子３２に対して発光電流として供給する。
【００３２】
バッテリー電圧監視回路５５は、バッテリー６１に接続されて、バッテリー６１の電圧を監視する。
また、バッテリー電圧監視回路５５は、ＬＥＤ警告灯（警告部）６３に接続されて、ＬＥＤ警告灯６３を点灯させる。具体的には、バッテリー６１の電圧が警告用閾値を下回った（電圧低下した）ときにＬＥＤ警告灯６３を点灯（作動）させる。
さらに、バッテリー電圧監視回路５５は、投光ユニット駆動回路５２に接続されて、投光ユニット駆動回路５２に対して信号を送信する。具体的には、バッテリー６１の電圧が警報用閾値を下回った（さらに電圧低下した）ときに、投光ユニット駆動回路５２に対してバッテリー電圧低下検出信号を送信する。なお、警報用閾値（１２．０Ｖ）は、警告用閾値（１３．５Ｖ）よりも低い電圧に設定される。言い換えると、警告用閾値（１３．５Ｖ）は、警報用閾値（１２．０Ｖ）よりも高い電圧に設定される。
【００３３】
図５に示すように、投光ユニット駆動回路５２は、４つのＬＥＤアレイ駆動回路５３と、３つのスイッチ５４を有する。
各ＬＥＤアレイ駆動回路５３には、ＬＥＤアレイ３０がそれぞれ接続する。３つのスイッチ５４は、４つＬＥＤアレイ駆動回路５３のうちの３つとバッテリー６１との間に配置される。ＬＥＤアレイ駆動回路５３ａには、スイッチ５４は接続されない。このＬＥＤアレイ駆動回路５３ａは、導光板２４の上辺（長辺の一つ）に配置されたＬＥＤアレイ３０ａを制御する。
【００３４】
〔バッテリー電圧低下警報方法〕
次に、充電式ＬＥＤ投光器１におけるバッテリー電圧低下警報方法について説明する。
バッテリー電圧低下警報方法は、発光工程、電圧監視工程、警告判定工程、警告工程、警報判定工程、警報工程を有する。
以下、これらの工程について詳述する。
【００３５】
（発光工程）
充電式ＬＥＤ投光器１は、投光部４の側面に配置されたスイッチ５を操作することにより発光する。具体的には、制御基板１２により電源部６のバッテリーから投光ユニット２０に電流が供給される。これにより、ＬＥＤアレイ３０の各ＬＥＤ素子３２が発光して、導光板２４の側面を照らす。
ＬＥＤ素子３２から出射した光は、導光板２４の側面から入射する。そして、導光板２４に入射した光は、導光板２４の背面に設けられた多数のディンプルと反射板２１の作用により、導光板２４の正面から前方に向けて出射する。
導光板２４から出射した光は、拡散板２５を経て斑なく拡散し、さらに保護板２６と保護ガラス１４を透過して、前方に向けて出射する。
充電式ＬＥＤ投光器１は、投光ユニット２０の正面全体が発光するので、マルチシャドウが現れず、ストレスなく、長時間作業でも疲れにくい。また、グレア光が直接目に入らず、ムラのない自然な光により物が良く見える。
【００３６】
（電圧監視工程）
バッテリー６１から投光ユニット２０に対しては、電圧が１４．４Ｖの供給電力が供給される。充電式ＬＥＤ投光器１を発光し続けると、バッテリー６１の電圧が低下し始める。バッテリー電圧監視回路５５は、バッテリー６１の電圧を常時、検出・監視し続ける。
【００３７】
（警告判定工程）
バッテリー電圧監視回路５５は、バッテリー６１の電圧が１３．５Ｖ（警告用閾値）を下回っているか否かを判定する。
【００３８】
（警告工程）
バッテリー電圧監視回路５５は、バッテリー６１の電圧が１３．５Ｖを下回ると、ＬＥＤ警告灯６３を点灯させる。
なお、バッテリー６１の電圧が１３．５Ｖになると、充電式ＬＥＤ投光器１の残りの発光時間は、およそ１時間程度である。つまり、ＬＥＤ警告灯６３が点灯すると、約１時間後に充電式ＬＥＤ投光器１が充電切れ（バッテリー６１の電圧が１１Ｖ）により消灯することになる。
【００３９】
（警報判定工程）
作業者がＬＥＤ警告灯６３の点灯に気づかずに、充電式ＬＥＤ投光器１を発光させ続けると、バッテリー６１の電圧がさらに低下する。
バッテリー電圧監視回路５５は、バッテリー６１の電圧が１２．０Ｖ（警報用閾値）を下回っているか否かを判定する。
【００４０】
（警報工程）
バッテリー電圧監視回路５５は、バッテリー６１の電圧が１２．０Ｖを下回ると、投光ユニット駆動回路５２に対してバッテリー電圧低下検出信号を送信する。
投光ユニット駆動回路５２は、バッテリー電圧低下検出信号を受信すると、３つのスイッチ５４を作動（開放）させる。これにより、ＬＥＤアレイ駆動回路５３ａに接続されたＬＥＤアレイ３０ａのみが発光し、残りのＬＥＤアレイ３０ｂ〜３０ｄは消灯する。すなわち、投光ユニット２０が減灯する。
【００４１】
４つのＬＥＤアレイ３０のうちの３つが消灯し、１つのみが点灯した状態になると、充電式ＬＥＤ投光器１（投光ユニット２０）の光量が約１／３に激減する。
このため、作業者は、充電式ＬＥＤ投光器１の異変を確実に察知できる。つまり、充電式ＬＥＤ投光器１からの警報を確実に受け取ることができる。
したがって、作業者は、充電式ＬＥＤ投光器１が充電切れする前に、充電式ＬＥＤ投光器１を充電することができる。
なお、バッテリー６１の電圧が１２．０Ｖになると、充電式ＬＥＤ投光器１の残りの発光時間は、およそ３０分程度である。つまり、ＬＥＤアレイ３０ａのみが発光すると、約３０分後に充電式ＬＥＤ投光器１が充電切れにより消灯することになる。
【００４２】
以上、説明したように、充電式ＬＥＤ投光器１およびバッテリー電圧低下警報方法では、バッテリー電圧監視回路５５がバッテリー６１の電圧を監視し、警報用閾値（１２.０Ｖ）を下回ると、４つのＬＥＤアレイ３０のうちの３つを消灯し、ＬＥＤアレイ３０ａのみを点灯（発光）させる。
このため、充電式ＬＥＤ投光器１の光量が激減し、充電式ＬＥＤ投光器１からの警報を作業者に対して確実に知らせることができる。したがって、作業者は、バッテリー６１を充電する時期を逃さずに、作業の安全性を確保できる。
【００４３】
特に、導光板２４の長辺に沿って配置されたＬＥＤアレイ３０ａのみを発光させるので、充電式ＬＥＤ投光器１の光量が減ったとしても、面発光の特性を損なうことがない。このため、作業者の安全を確保できる。
【００４４】
本発明の実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００４５】
例えば、警報工程において、４つのＬＥＤアレイ３０のうちの３つを消灯する場合に限らない。４つのＬＥＤアレイ３０のうちの１つまたは２つを消灯する場合であってもよい。
また、導光板２４の長辺に沿って配置されたＬＥＤアレイ３０ａのみを発光させる場合に限らない。導光板２４の短辺に沿って配置されたＬＥＤアレイ３０ｂのみを発光させる場合であってもよい。充電式ＬＥＤ投光器１の光量がさらに激減するので、作業者に対して警報を確実に知らせることができる。
【００４６】
警報工程において、ＬＥＤアレイ３０毎に点灯・消灯させる場合に限らない。任意のＬＥＤ素子３２を消灯・点灯してもよい。例えば、各ＬＥＤアレイ３０に搭載されたＬＥＤ素子３２のうちの半分を消灯・点灯してもよい。
【００４７】
また、警報工程において、３つのＬＥＤアレイ３０を単に消灯する場合に限らない。３つのＬＥＤアレイ３０を間欠発光させてもよい。例えば１分毎に３つのＬＥＤアレイ３０を消灯点灯させる。これにより、作業者の安全を確保しつつ、作業者に対して警報を確実に知らせることができる。
【００４８】
バッテリー６１は、リチウムイオン電池に限らない。ニカド電池、ニッケル水素電池であってもよい。
【００４９】
反射板２１は、黒色樹脂板２２と白色樹脂板２３からなる場合に限らない。反射板２１は、アルミ板やアルミ蒸着した樹脂板等であってもよい。
【００５０】
ＬＥＤアレイ３０は、導光板２４の四辺に沿って配置される場合に限らない。例えばＬＥＤアレイ３０が導光板２４の長辺（二辺）のみに配置される場合であってもよい。
【００５１】
投光ユニット２０は、長方形の場合に限らない。投光ユニット２０は、多角形や円形等の場合であってもよい。
【００５２】
警報部は、投光ユニット２０と投光ユニット駆動回路５２に限らない。警報部は、ブザーやバイブレーター等であってもよい。また、警告部は、ＬＥＤ警告灯６３に限らない。警告部は、ブザーやバイブレーター等であってもよい。
【符号の説明】
【００５３】
１  充電式ＬＥＤ投光器    ３  本体部    ４  投光部    ６  電源部    ７  スタンド    ２０  投光ユニット（警報部）    ２４  導光板    ３０，３０ａ〜３０ｄ  ＬＥＤアレイ    ３２  ＬＥＤ素子    ５１  充電回路    ５２  投光ユニット駆動回路（警報部）    ５３，５３ａ〜５３ｄ  ＬＥＤアレイ駆動回路    ５４  スイッチ    ５５  バッテリー電圧監視回路    ６１  バッテリー    ６２  ＡＣアダプタケーブル    ６３  ＬＥＤ警告灯（警告部）    
【図１】
2019040714.tif 000003
【図２】
2019040714.tif 000004
【図３】
2019040714.tif 000005
【図４】
2019040714.tif 000006
【図５】
2019040714.tif 000007